(57)【特許請求の範囲】
【請求項１】
取付部材に取り付けられ対向する一対の直線部とこの一対の直線部の両端部をそれぞれ連結する一対の円弧部とを有する環状の本体部と、この本体部の外周側の周方向に弾性変形可能に連続して形成され前記取付部材の表面に密着されるシール部とを備えたグロメットであって、
前記シール部は、前記一対の直線部側から前記一対の円弧部側に向けて徐々に剛性が高くなるように設定されていることを特徴とするグロメット。
【請求項２】
請求項１記載のグロメットであって、
前記シール部は、前記本体部側の肉厚が前記一対の直線部側から前記一対の円弧部側に向けて徐々に厚くなるように設定されていることを特徴とするグロメット。
【請求項３】
請求項１又は２記載のグロメットであって、
前記シール部は、前記取付部材の表面に密着したときの弾性変形する変形部が前記一対の直線部側から前記一対の円弧部側に向けて徐々に短くなるように設定されていることを特徴とするグロメット。
【発明の詳細な説明】
【技術分野】
【０００１】
本発明は、車両に適用されるグロメットに関する。
【背景技術】
【０００２】
従来、グロメットとしては、取付部材としてのパネルに取り付けられ対向する一対の直線部とこの一対の直線部の両端部をそれぞれ連結する一対の円弧部とを有する環状の本体部と、この本体部の外周側の周方向に弾性変形可能に連続して形成されパネルの表面に密着されるシール部としての密着部とを備えたものが知られている（例えば、特許文献１参照）。
【０００３】
このグロメットでは、パネルに本体部を取り付けることにより、パネルの表面に密着部が弾性変形して密着し、パネルに形成された取付孔部から水などが侵入することを防止することができる。
【先行技術文献】
【特許文献】
【０００４】
【特許文献１】特開２０１１−２２３７４７号公報
【発明の概要】
【発明が解決しようとする課題】
【０００５】
ところで、上記特許文献１のようなグロメットでは、本体部が一対の直線部と一対の円弧部とを有する楕円形状に形成されており、この本体部に設けられたシール部も本体部と同様に楕円形状となっている。
【０００６】
このようなグロメットでは、シール部が取付部材の表面に密着した状態で、シール部の直線部側と円弧部側とで弾性変形する割合が異なり、シール部の取付部材の表面に対する密着度合が不均一となってしまい、シール部による防水性が周方向の全域で安定していなかった。
【０００７】
そこで、この発明は、楕円形状に形成されたシール部において、シール部による防水性を周方向の全域で安定化させることができるグロメットの提供を目的としている。
【課題を解決するための手段】
【０００８】
ここで、本発明者は、楕円形状に形成されたシール部において、シール部が取付部材の表面に密着した状態で、シール部の直線部側より円弧部側の方が弾性変形し易く、シール部の直線部側がシール部の円弧部側に向けて弾性変形するということを見出した。そこで、本発明は、以下のことを特徴とする。
【０００９】
請求項１記載の発明は、取付部材に取り付けられ対向する一対の直線部とこの一対の直線部の両端部をそれぞれ連結する一対の円弧部とを有する環状の本体部と、この本体部の外周側の周方向に弾性変形可能に連続して形成され前記取付部材の表面に密着されるシール部とを備えたグロメットであって、前記シール部は、前記一対の直線部側から前記一対の円弧部側に向けて徐々に剛性が高くなるように設定されていることを特徴とする。
【００１０】
このグロメットでは、シール部が、一対の直線部側から一対の円弧部側に向けて徐々に剛性が高くなるように設定されているので、シール部が取付部材の表面に密着したとき、シール部の直線部側がシール部の円弧部側に向けて弾性変形することを低減することができる。
【００１１】
従って、このようなグロメットでは、楕円形状に形成されたシール部において、シール部の直線部側とシール部の円弧部側とを均一に弾性変形させることができ、シール部による防水性を周方向の全域で安定化させることができる。
【００１２】
請求項２記載の発明は、請求項１記載のグロメットであって、前記シール部は、前記本体部側の肉厚が前記一対の直線部側から前記一対の円弧部側に向けて徐々に厚くなるように設定されていることを特徴とする。
【００１３】
このグロメットでは、シール部の本体部側の肉厚が、一対の直線部側から一対の円弧部側に向けて徐々に厚くなるように設定されているので、シール部の直線部側より円弧部側の方が弾性変形し難くなり、シール部の直線部側が円弧部側に向けて弾性変形することを低減できる。
【００１４】
加えて、このようなグロメットでは、シール部の本体部側の肉厚の設定によって、取付部材の表面に対するシール部の周方向の全域における密着性を管理することができる。
【００１５】
請求項３記載の発明は、請求項１又は２記載のグロメットであって、前記シール部は、前記取付部材の表面に密着したときの弾性変形する変形部が前記一対の直線部側から前記一対の円弧部側に向けて徐々に短くなるように設定されていることを特徴とする。
【００１６】
このグロメットでは、シール部の取付部材の表面に密着したときの弾性変形する変形部が、一対の直線部側から一対の円弧部側に向けて徐々に短くなるように設定されているので、シール部の円弧部側の変形部の変化量が直線部側より小さくなり、シール部の直線部側の変形部が円弧部側に向けて弾性変形することを低減できる。
【００１７】
加えて、このようなグロメットでは、シール部の変形部の長さの設定によって、取付部材の表面に対するシール部の周方向の全域における密着性を管理することができる。
【発明の効果】
【００１８】
本発明によれば、楕円形状に形成されたシール部において、シール部による防水性を周方向の全域で安定化させることができるグロメットを提供することができるという効果を奏する。
【図面の簡単な説明】
【００１９】
【図１】本発明の実施の形態に係るグロメットの斜視図である。
【図２】本発明の実施の形態に係るグロメットの正面図である。
【図３】本発明の実施の形態に係るグロメットの上面図である。
【図４】（ａ）は本発明の実施の形態に係るグロメットの直線部側の断面図である。（ｂ）は本発明の実施の形態に係るグロメットの円弧部側の断面図である。
【図５】（ａ），（ｂ）は本発明の実施の形態に係るグロメットの直線部側の他例のシール部の断面図である。
【発明を実施するための形態】
【００２０】
図１〜図５を用いて本発明の実施の形態に係るグロメットについて説明する。
【００２１】
本実施の形態に係るグロメット１は、取付部材３に取り付けられ対向する一対の直線部５，５とこの一対の直線部５，５の両端部をそれぞれ連結する一対の円弧部７，７とを有する環状の本体部９と、この本体部９の外周側の周方向に弾性変形可能に連続して形成され取付部材３の表面に密着されるシール部１１とを備えている。
【００２２】
そして、シール部１１は、一対の直線部５，５側から一対の円弧部７，７側に向けて徐々に剛性が高くなるように設定されている。
【００２３】
また、シール部１１は、本体部９側の肉厚が一対の直線部５，５側から一対の円弧部７，７側に向けて徐々に厚くなるように設定されている。
【００２４】
さらに、シール部１１は、取付部材３の表面に密着したときの弾性変形する変形部１３が一対の直線部５，５側から一対の円弧部７，７側に向けて徐々に短くなるように設定されている。
【００２５】
ここで、本実施の形態に係るグロメット１は、例えば、車両のパネルなどの取付部材３に設けられた楕円形状の取付孔（不図示）を挿通し、取付部材３の一側と他側とに配置される電線（不図示）が中央部に設けられた電線挿通部１５に挿通される。
【００２６】
この電線挿通部１５に電線が挿通されるグロメット１は、取付部材３の取付孔に取り付けられ、取付部材３の一側と他側とを区画して防水する。以下、図１〜図５を用いて本実施の形態に係るグロメット１について詳細に説明する。
【００２７】
図１〜図４に示すように、グロメット１は、本体部９と、シール部１１とを備えている。
【００２８】
本体部９は、ゴムなどの弾性材料からなり、対向して配置される一対の直線部５，５と、この一対の直線部５，５の両端部をそれぞれ連結するように連続する一部材で形成され対向して配置される一対の円弧部７，７とを有して、外形形状が楕円形状に形成されている。
【００２９】
この本体部９は、内部に取付部材３の取付孔の縁部に係止される係止部を有するインナ部材（不図示）が一体に設けられ、このインナ部材を介してグロメット１が取付部材３に固定される。この本体部９の外周には、シール部１１が設けられている。
【００３０】
シール部１１は、本体部９の外周の周方向全域に本体部９と連続する一部材で設けられ、本体部９側に位置される基部１７と、この基部１７から拡径するように放射状に傾斜され弾性変形可能に設けられた変形部１３とを有する。
【００３１】
このシール部１１は、本体部９が取付部材３に取り付けられた状態で、変形部１３が基部１７から弾性変形して取付部材３の表面に押し付けられるように密着し、取付部材３の一側と他側とを区画して防水する。
【００３２】
ここで、従来のグロメットでは、シール部１１における基部１７の取付部材３の表面と平行な方向の肉厚が周方向の全域で均一となっていた。また、基部１７の肉厚が周方向の全域で均一であるため、変形部１３の基部１７から取付部材３の表面までの長さも周方向の全域で均一となっていた。
【００３３】
このような従来のグロメットにおいて、シール部１１を取付部材３の表面に押し付けたときの応力分布を検証したところ、シール部１１の直線部５側では応力が低く、シール部１１の円弧部７側では応力が高いことが確認された。
【００３４】
このような従来のグロメットのシール部１１における応力分布の検証結果は、シール部１１の直線部５側の変形部１３が、円弧部７側の変形部１３よりも弾性変形し難く、直線部５側の変形部１３が円弧部７側の変形部１３に引っ張られていることがわかる。
【００３５】
このため、従来のグロメットでは、シール部１１の取付部材３の表面に対する接圧が、シール部１１の周方向の全域で不均一となっており、シール部１１による防水性が周方向の全域で安定していなかった。
【００３６】
そこで、グロメット１では、シール部１１が、一対の直線部５，５側から一対の円弧部７，７側に向けて徐々に剛性が高くなるように設定されている。
【００３７】
詳細には、シール部１１の基部１７の外周面に、直線部５側から円弧部７側に向けて基部１７の取付部材３の表面と平行な方向の肉厚が徐々に厚くなるように肉付部１９が設けられている。
【００３８】
このような肉付部１９を設けることにより、シール部１１の本体部９側（基部１７）の肉厚が一対の直線部５，５側から一対の円弧部７，７側に向けて徐々に厚くなるように設定されており、直線部５側の剛性が低くなり、直線部５側が弾性変形し易くされている。
【００３９】
このようにシール部１１の基部１７の外周面に肉付部１９を設けることにより、従来のグロメットを成形する際に使用する金型を使用し、グロメットを成形した後、肉付部１９を設けることができ、新たな金型を用いる必要がない。
【００４０】
なお、シール部１１の本体部９側（基部１７）の肉厚を一対の直線部５，５側から一対の円弧部７，７側に向けて徐々に厚くなるように設定するには、シール部１１の基部１７の外周面に肉付部１９を設けることに限らず、例えば、円弧部７側から直線部５側に向けて基部１７の取付部材３の表面と平行な方向の肉厚が徐々に薄くなるように除肉部を設けてもよい。
【００４１】
このように基部１７の肉厚が直線部５側から円弧部７側に向けて徐々に厚くなるように設定されたシール部１１の変形部１３は、基部１７から取付部材３の表面に密着する先端部までの長さが直線部５側から円弧部７側に向けて徐々に短くなっている。
【００４２】
このため、シール部１１は、取付部材３の表面に密着したときの弾性変形する変形部１３が一対の直線部５，５側から一対の円弧部７，７側に向けて徐々に短くなるように設定されており、円弧部７側の変形部１３の変形量が小さくなるようにされている。
【００４３】
このようにシール部１１の基部１７と変形部１３とが設定されたグロメット１において、シール部１１を取付部材３の表面に押し付けたときの応力分布を検証したところ、直線部５側の変形部１３が弾性変形し易くなっており、直線部５側の変形部１３が円弧部７側の変形部１３に引っ張られることが低減されていることが確認された。
【００４４】
このため、このようなグロメット１では、シール部１１の取付部材３の表面に対する接圧を、シール部１１の周方向の全域で均一とすることができ、シール部１１による防水性を周方向の全域で安定させることができる。
【００４５】
なお、シール部１１の設定としては、円弧部７側を従来通りに設定し、図５（ａ）に示すように、直線部５側の基部１７の肉厚を薄肉化する、或いは図５（ｂ）に示すように、直線部５側の基部１７に切欠部２１を設けて変形部１３の長さを長くするなどしてもよい。
【００４６】
このようなグロメット１では、シール部１１が、一対の直線部５，５側から一対の円弧部７，７側に向けて徐々に剛性が高くなるように設定されているので、シール部１１が取付部材３の表面に密着したとき、シール部１１の直線部５側がシール部１１の円弧部７側に向けて弾性変形することを低減することができる。
【００４７】
従って、このようなグロメット１では、楕円形状に形成されたシール部１１において、シール部１１の直線部５側とシール部１１の円弧部７側とを均一に弾性変形させることができ、シール部１１による防水性を周方向の全域で安定化させることができる。
【００４８】
また、シール部１１の本体部９側の肉厚は、一対の直線部５，５側から一対の円弧部７，７側に向けて徐々に厚くなるように設定されているので、シール部１１の直線部５側より円弧部７側の方が弾性変形し難くなり、シール部１１の直線部５側が円弧部７側に向けて弾性変形することを低減できる。
【００４９】
加えて、このようなグロメット１では、シール部１１の本体部９側の肉厚の設定によって、取付部材３の表面に対するシール部１１の周方向の全域における密着性を管理することができる。
【００５０】
さらに、シール部１１の取付部材３の表面に密着したときの弾性変形する変形部１３は、一対の直線部５，５側から一対の円弧部７，７側に向けて徐々に短くなるように設定されているので、シール部１１の円弧部７側の変形部１３の変化量が直線部５側より小さくなり、シール部１１の直線部５側の変形部１３が円弧部７側に向けて弾性変形することを低減できる。
【００５１】
加えて、このようなグロメット１では、シール部１１の変形部１３の長さの設定によって、取付部材３の表面に対するシール部１１の周方向の全域における密着性を管理することができる。
【００５２】
なお、本発明の実施の形態に係るグロメットでは、シール部の本体部側の肉厚とシール部の変形部の長さとの両方を直線部側と円弧部側とで設定しているが、これに限らず、シール部の本体部側の肉厚のみの設定、或いはシール部の変形部の長さのみの設定であってもよい。
【符号の説明】
【００５３】
１…グロメット
３…取付部材
５…直線部
７…円弧部
９…本体部
１１…シール部
１３…変形部
【図１】
0006014093.tif 000002
【図２】
0006014093.tif 000003
【図３】
0006014093.tif 000004
【図４】
0006014093.tif 000005
【図５】
0006014093.tif 000006